(57)【特許請求の範囲】
【請求項１】
複数本並設することによりエアマットを構成する細長い袋状のフィルムからなるエアセルであって、かつ該エアセルが上下方向に多層構造で、各層間はエアが流動するように形成され、給気口からエアが供給されると各層とも同じエア圧となるエアセルにおいて、
前記エアセルの下層部をフィルムが内外重なり合う形状の二重構造に形成して、その下層部表面にも他の給気口を設けたことを特徴とするエアセル。
【請求項２】
前記エアセルの下層部の二重構造は、内側フィルムを覆う形状で外側フィルムを設け、前記他の給気口からエアが注入されると、内側フィルム内のエアが押し出されて、下層部が展開層部に変わるようにしたことを特徴とする請求項１記載のエアセル。
【請求項３】
前記外側フィルムの端辺は、前記下層部とその上の層部との境に溶着されていることを特徴とする請求項２記載のエアセル。
【請求項４】
前記エアセルは、上層部、中層部、下層部の三層からなり、エアセルへの給気は中層部に形成された給気口から行われることを特徴とする請求項１記載のエアセル。
【請求項５】
請求項１〜４記載のエアセルが複数本並設されるとともに、各エアセルの中層部に設けられた給気口へエアを給気する第１空気回路と、各エアセルの下層部に設けられた他の給気口へエアを給気する第２空気回路を備えたことを特徴とするエアマット。
【請求項６】
エアセルが複数本並設され、その一部に請求項１〜４記載のエアセルが配置され、各エアセルの給気口へエアを給気する第１空気回路と、前記請求項１〜４記載のエアセルの下層部に設けられた他の給気口へエアを給気する第２空気回路を備えたことを特徴とするエアマット。
【発明の詳細な説明】
【技術分野】
【０００１】
本発明は、病人等が長期に渡って床に伏せる場合などに生じる床ずれ（褥瘡）を予防するためのエアマットを構成するエアセル及びそれを備えたエアマットに関するものである。
【背景技術】
【０００２】
寝返りを打てない病人等が長期に渡って床に伏していると、床ずれ（褥瘡）が体に生じる場合がある。床ずれの原因としては、寝返りを打てないことにより寝具からの圧が身体の一定箇所に集中して血行不良が生じること、体力の衰えや栄養状態の悪化、あるいは汗等による過湿によって細菌の繁殖等が原因といわれている。
【０００３】
このような床ずれを防止するため、種々の医療用のエアマットが開発されており、一般的なエアセルの構造と臥床状態を示すと、図５に示すように、細長い袋状のエアセル５１を１０本〜３０本ほど並べて配置して、これらのエアセル５１にエアポンプからエア移送路を介してエアを送り込むようにしたものである。図５は、エアセル５１を複数本並設した状態で、人が臥床した様子を横から見た図で、図６は、図５で示したエアマットにカバー６１を掛けてその上に人が臥床した様子を示したものである。
【０００４】
なお、エアセル５１は、布地などのような可撓性の生地に高重合ポリマーフィルムをラミネート加工したもの、あるいはプラスチックフィルムそのまま、若しくはプラスチックフィルムの表面を梨地加工したもので、内部にエアを注入、排気することにより膨張、収縮させることができるようにしたものである。
【０００５】
エアセルは、従来単層〜多層の断面構造を持ち、多層の場合は、図３（ａ）（ｂ）に示すように、各層の内圧が同等となるように層間の仕切膜に通気孔が設けられているため、層間のエアには流動性がある。図３（ａ）は、三層構造のエアセル３０であり、上層部３１、中層部３２、下層部３３と別れ、それぞれの層間には仕切膜３４，３５が設けられており、各仕切膜３４，３５にはエアが流入流出できるように通気孔３４ａ、３５ａが設けられている。図３（ｂ）は二層構造のエアセル３６で、上層部３７と下層部３８とに別れ、層間には仕切膜３９が設けられており、仕切膜３９には、同じくエアが流入流出できるように通気孔３９ａが設けられている。
これらの構造は、エアセルの高さ全てを除圧層として利用でき、十分な余裕を持って身体を沈めることが可能なため優れた体圧分散性能を確保することが可能である（特許文献１の図４参照）。
【０００６】
このように、多層式のエアセルは優れた体圧分散性能を有するが、部分的に大きな力が加わると、保持力の限界を超えて大きなハンモック現象が生じるとともに、図４に示すように、底着きが発生する場合がある。この場合、エアセルの保持力を上げるためにエアマット全体の内圧を上げる方法もあるが、身体の部分的にエアマットの内圧を上げることはできない。
【先行技術文献】
【特許文献】
【０００７】
【特許文献１】特開２００５−６９３９号公報
【発明の概要】
【発明が解決しようとする課題】
【０００８】
また、層毎に内圧を変化させることが可能な複雑な制御装置を備えたエアセルも存在するが、体圧分散性能を優先させて使用するときは、各層の内圧が同等で、層間のエア流動性があるエアセルの方が、余裕を持って身体を支えられる。
そこで、本発明の課題は、エアセルの構造や制御方法が複雑にならず、かつ従来からのエアセルの特徴を生かしつつ、底着きなどを起こしにくいエアセルとこのエアセルを備えたエアマットを提供することにある。
【課題を解決するための手段】
【０００９】
請求項１記載の発明は、複数本並設することによりエアマットを構成する細長い袋状のフィルムからなるエアセルであって、かつ該エアセルが上下方向に多層構造で、各層間はエアが流動するように形成され、給気口からエアが供給されると各層とも同じエア圧となるエアセルにおいて、前記エアセルの下層部をフィルムが内外重なり合う形状の二重構造に形成して、その下層部表面にも他の給気口を設けたことを特徴としている。
【００１０】
請求項２記載の発明は、請求項１記載の発明において、前記エアセルの下層部の二重構造は、内側フィルムを覆う形状で外側フィルムを設け、前記他の給気口からエアが注入されると、内側フィルム内のエアが押し出されて、下層部が展開層部に変わるようにしたことを特徴としている。
【００１１】
請求項３記載の発明は、請求項２記載の発明において、前記展開層の端辺は、下層部とその上の層部との境に溶着されていることを特徴としている。
【００１２】
請求項４記載の発明は、請求項１〜３記載の発明において、前記エアセルは、上層部、中層部、下層部の三層からなり、エアセルへの給気は中層部に形成された給気口から行われることを特徴としている。
【００１３】
請求項５記載のエアマットは、請求項１〜４記載のエアセルが複数本並設されるとともに、各エアセルの中層部に設けられた給気口へエアを給気する第１空気回路と、各エアセルの下層部に設けられた他の給気口へエアを給気する第２空気回路を備えたことを特徴としている。
【００１４】
請求項６記載のエアマットは、エアセルが複数本並設され、その一部に請求項１〜４記載のエアセルが配置され、各エアセルの給気口へエアを給気する第１空気回路と、前記請求項１〜４記載のエアセルの下層部に設けられた他の給気口へエアを給気する第２空気回路を備えたことを特徴としている。
【発明の効果】
【００１５】
請求項１記載の発明によれば、体圧分散性能を優先する場合は、下層部の他の給気口からは給気せず、エアセルの高さ全てを除圧層として利用でき、十分な余裕を持って身体を沈めることができ、優れた体圧分散性能を確保することができる。
一方、身体の一部に底着きの懸念が生じる際は、下層部の他の給気口からエアを注入して、内側フィルムを圧迫し内側フィルム内のエアが上層に押し出されて、上の層からエアを外部に排気して上層部を一定の内圧を保持しながら、下層部の内圧を高めてエアセルの高さを一定に保ち、底着きの懸念を減少させることができる。
【００１６】
請求項２記載の発明によれば、多層式エアセルの下層部に外側からフィルムをで覆って展開層を形成するようにしたので、製造工程が容易となる。また、展開層を硬く、上層は柔らかくする設定ができるので、寝心地と保持力を両立させることができる。
【００１７】
請求項３記載に発明によれば、多層式エアセルの下層部に後からフィルムを溶着するようにしたので、必要な場合に、既存のエアセルに追加或いは変更を加えることが容易となる。また、例えば、腰部に当たる箇所のエアセルにのみ設けることで、背上げ時の底着きを防止したり、仰臥位時に腰の落ち込みを抑制して寝姿勢を整える等の効果も期待できる。
【００１８】
請求項４記載の発明によれば、エアセルが三層構造であるので、エアセルの高さを高く維持でき、かつ中層部に給気口があるので、下層部からの給気に対し中層部からエアを給排気でき、安定したエアセルの内圧を保持することが容易となる。
【００１９】
請求項５記載の発明によれば、請求項１〜４記載のエアセルを用いたので、臥床者の使用状態に応じてエアマットの制御が簡単にでき、簡素な構造で高機能なエアマットを提供することができる。
【００２０】
請求項６記載の発明によれば、底着きの発生しやすい部位に請求項１〜４記載のエアセルを用いることで、高機能であるのに簡素な構造のエアマットを提供することができる。
【図面の簡単な説明】
【００２１】
【図１】本発明の実施形態に係るエアセルの模式断面図である。
【図２】本発明の実施形態に係るエアセルの下層部からエアを注入したときのエアセルの変化を説明する模式断面図である。
【図３】従来の多層式エアセルの模式断面図である。
【図４】エアマットの底着きを示す図である。
【図５】エアマットに人が臥床している側面図である。
【図６】エアマットに人が臥床している状態の斜視図である。
【発明を実施するための形態】
【００２２】
以下、本発明に係るエアセル及びそれを備えたエアマットの実施の形態について説明する。
図１は、本実施の形態におけるエアセルの断面図である。
本体部分は三層式のエアセル１０で、上層部１１、中層部１２、下層部１３を備え、それぞれの層間には仕切膜１４，１５が設けられており、各仕切膜１４，１５にはエアが流入流出できるように通気孔１４ａ、１５ａが設けられている。
また、中層部１２には、エアセル１０にエアを給排気する給気口１６が設けられており、図示の第１空気回路に接続されている。
【００２３】
また、下層部１３は、内外重なり合う形状の二重構造に形成されており、内側のフィルム１３１は上層部１１と中層部１２のフィルムと一体に成形されたもので、外側のフィルム１３２はその端辺が下層部とその上の層部との境に溶着されている。また、下層部１３を形成する外側フィルム１３２の表面には他の給気口１７が設けられており、図示の第２空気回路に接続されている。この下層部１３は本体の多層部分とは独立して区画されており、別系統の空気回路で膨らませることができ、展開層部１３０と称する。
【００２４】
多層式エアセルは、内部の仕切膜に通気孔が開けられており、エアの流動性がある。体圧分散性能を優先して使用する場合には、図１に示す状態で使用し、特に保持力が必要な場合や部分的にエアマットを硬くしたい場合には、展開層部１３０に多層部よりも高い圧力でエアを送り込むことで、展開層部１３０の内側のフィルム１３１が、図２に示すように、多層部分の内部に膨らみ下層部１３と置き換わることで、保持力を高めることが可能となる。
【００２５】
また、利用者の状態に応じた内圧に調整することにより、その状態に適した体圧分散効果を得ることができる。下層部１３が展開層部１３０と置き換わるため、身体に触れる上層部１１の内圧を上げることなく保持力を上げることができ、保持力を上げる必要がなくなった場合には、この展開層部１３０の空気回路を開放するだけで、多層部分の内圧に押されて展開層部１３０内部のエアは排出され多層式エアセルとして使用することができる。
【００２６】
すなわち、保持力が必要なモードが選択されたときに、下層部１３に第２空気回路からエアを注入して展開層部１３０へと変えて利用し、そのモードが解除された場合には展開層部１３０のエアを排出することで存在がなくなるため、体圧分散性能を犠牲にすることなく保持力を高めることができる。
【００２７】
次に、このエアセル１０を使用したエアマットについて説明する。
例１として、上記エアセル１０が複数本並設されるとともに、各エアセル１０の中層部１２に設けられた給気口１６へエアを給気する第１空気回路と、前記各下層部１３の表面に設けられた他の給気口１７へエアを給気する第２空気回路を備えている。
例２として、エアセルが複数本並設され、その一部に上記エアセル１０が配置され、各エアセルの給気口へエアを給気する第１空気回路と、上記エアセル１０の下層部に設けられた他の給気口へエア１７を給気する第２空気回路を備えている。
【００２８】
上記エアマットによれば、臥床者の使用状態に応じエアマットの制御が簡単にでき、簡素な構造で高機能なエアマットを提供することができる。
【００２９】
さらに、底着きの発生しやすい部位にこのエアセル１０を用いることで、高機能であるのに簡素な構造のエアマットを提供することができる。
【産業上の利用可能性】
【００３０】
本発明に係るエアセルは、常時伏せっていることが多い、患者や老人等用のエアマットに利用することができとともに、健常者用のエアマットにも用いることが可能である。
【符号の説明】
【００３１】
１０  エアセル
１１  上層部
１２  中層部
１３  下層部
１４  仕切膜
１４ａ  通気孔
１５  仕切膜
１５ａ  通気孔
１６  給気口
１７  他の給気口
１３０  展開層部
１３１  内側フィルム
１３２  外側フィルム
【図３】
0005618695.tif 000002
【図４】
0005618695.tif 000003
【図５】
0005618695.tif 000004
【図６】
0005618695.tif 000005
【図１】
0005618695.tif 000006
【図２】
0005618695.tif 000007